(57)【要約】      （修正有）【課題】フレームのある太陽電池モジュールを、角波板で覆われている屋根に組み付ける組付けセットを提供する。【解決手段】３つのコンポーネント、すなわち１つの組付けアダプタ１０と２つの保持部材２０とを含んでいる、角波板２のための組付けセット。組付けアダプタは、上面と、上面と反対を向く下面と、上面に向かって開いた長尺状の取付通路１４（たとえばアンダーカットのある長手方向溝）と、２つの取付フランジ１５とを有している。２つの取付フランジの各々は、長尺状の取付通路に対して横方向を向く、長尺状の保持縁部ペア１６（たとえば長孔）を有している。各々の保持縁部ペアは、好ましくは互いに平行である２つの保持縁部を有している。２つの保持部材は、取付区域と、これから突出する係合手段とをそれぞれ有している。各々の保持部材は、組付けアダプタから離れた解除位置と、取付通路に関して平行な係合位置とを有することができる。【選択図】図２
0003194720.tif 000002
【実用新案登録請求の範囲】
【請求項１】
角波板（２）の台形状のリブ（１）のための組付けセットにおいて、台形状のリブ（１）は１つのリブ上面（３）と２つのリブ傾斜面（４）とを有しており、
上面（１２）と、前記上面（１２）と反対を向く下面（１３）と、前記上面（１２）に向かって開いた長尺状の取付通路（１４）と、２つの取付フランジ（１５）とを有する組付けアダプタ（１０）を有しており、前記上面（１２）、前記下面（１３）、長尺状の前記取付通路（１４）、および２つの前記取付フランジ（１５）は協同して１つの固定的なユニットになっており、２つの前記取付フランジ（１５）の各々は長尺状の前記取付通路（１４）に対して横方向を向く長尺状の保持縁部ペア（１６）を有しており、前記上面（１２）の平面図で見て長尺状の前記取付通路（１４）は２つの前記取付フランジ（１５）の間にあり、
取付区域（２１）およびこれから突出する係合手段（２２）をそれぞれ有する２つの保持部材（２０）を有しており、２つの前記保持部材（２０）の各々の前記取付区域（２１）と突出する前記係合手段（２２）とは協同して一体的および／または固定的なユニットになっており、各々の前記保持部材（２０）は、前記取付けアダプタ（１０）から離れた解除位置（Ａ）と、前記取付通路（１４）に関して平行の係合位置（Ｂ）とを有することができ、
各々の前記保持部材（２０）の突出する前記係合手段（２２）は、第１に、前記組付けアダプタ（１０）から離れた前記解除位置（Ａ）を前提としたうえで、突出する前記係合手段（２２）を長尺状の前記保持縁部ペア（１６）と係合させることができ、第２に、平行な前記係合位置（Ｂ）にあるとき、突出する前記係合手段（２２）が、長尺状の前記保持縁部ペア（１６）に沿った複数の可能な長手方向位置のうちの１つで、かつ前記取付通路（１４）と平行な複数の可能な旋回位置のうちの１つで、長尺状の前記保持縁部ペア（１６）に背後から係合することができるように製作されており、
前記組付けアダプタ（１０）は、前記下面（１３）がリブ上面（３）のほうを向き、前記取付通路（１４）が台形状のリブ（１）に対して長手方向に向き、前記取付通路（１４）がリブ上面（３）の上で中央に配置され、前記保持縁部ペア（１６）が大部分においてリブ上面（３）を通って平行に延びる平面（５）よりも上方に延びるとともに、少なくとも区域的に露出しながら２つのリブ傾斜面（４）の上にあるように製作されていてリブ上面（３）の上に配置することができ、
前記取付区域（２１）と突出する前記係合手段（２２）は、平行な前記係合位置（Ｂ）にあるとき、前記取付区域（２１）をねじ（３０）またはリベットにより２つのリブ傾斜面（４）に取り付けることができ、前記組付けアダプタ（１０）を突出する前記係合手段（２２）によりリブ上面（３）に向かって抑え付けることができるように製作されている組付けセット。
【請求項２】
２つの前記取付フランジ（１５）のうち少なくとも１つは前記取付通路（１４）に対して横向きに向く長手方向切欠き（１７）を含んでおり、長尺状の前記保持縁部ペア（１６）のうち少なくとも１つは前記長手方向切欠き（１７）の互いに向かい合う縁部によって製作されていることを特徴とする、請求項１に記載の取付けセット。
【請求項３】
前記保持部材（２０）のうち少なくとも１つから突出する前記係合手段（２２）は互いに離れるように向く２つの突起（２４）を有しており、それにより長尺状の前記保持縁部ペア（１６）のうちの１つに両側で背後から係合することを特徴とする、請求項１または２に記載の取付けセット。
【請求項４】
長尺状の保持縁部ペア（１６）のうちの少なくとも１つは２つの前記取付フランジ（１５）のうちの１つの互いに反対を向く縁部（１６）によって製作されており、少なくとも１つの前記取付フランジ（１５）は、任意選択として、前記保持部材（２０）のうちの１つのためのリミットストッパ（２６）を有していることを特徴とする、請求項１から３のいずれか１項に記載の取付けセット。
【請求項５】
前記保持部材のうち少なくとも１つから突出する前記係合手段（２２）は互いに近づくように向く２つの突起（２４）を有しており、それにより長尺状の前記保持縁部ペア（１６）のうちの１つに両側で背後から係合することを特徴とする、請求項１から４のいずれか１項に記載の取付けセット。
【請求項６】
前記組付けアダプタ（１０）は後加工された押出成形部品であり、前記取付フランジ（１５）を少なくとも区域的に短縮するために複数のコーナー領域（１８）がこれから除去されていることを特徴とする、請求項１から５のいずれか１項に記載の取付けセット。
【請求項７】
長尺状の前記取付通路（１４）は２つの長手方向端部（１９）を有しており、前記上面（１２）の平面図で見て前記取付フランジ（１５）および／または前記保持縁部ペア（１６）は前記長手方向端部（１９）に関して中央にあることを特徴とする、請求項１から６のいずれか１項に記載の取付けセット。
【請求項８】
前記上面（１２）と前記下面（１３）は互いに平行であり、および／または前記下面（１３）は平坦であり、および／または前記下面（１３）の外側輪郭は十字形であることを特徴とする、請求項１から７のいずれか１項に記載の取付けセット。
【請求項９】
前記保持部材（２０）のうち少なくとも１つから突出する前記係合手段（２２）は前記取付区域（２１）に対して角度をなして当てつけられており、および／または突出する前記係合手段（２２）は前記取付区域（２１）で中央に配置されており、および／または前記保持部材のうち少なくとも１つから突出する前記係合手段（２２）と前記取付区域（２１）とは協同して一体的な薄板部品になっていることを特徴とする、請求項１から８のいずれか１項に記載の取付けセット。
【請求項１０】
前記組付けセットはリブ上面（３）と前記下面（１３）の間に配置するために設けられた少なくとも１つのゴム状の保護下層（２３）を有していることを特徴とする、請求項１から９のいずれか１項に記載の取付けセット。
【請求項１１】
前記保持部材（２０）のうち少なくとも１つには、前記取付区域（２１）に任意選択で取り付けられ、前記取付区域（２１）と２つのリブ傾斜面（４）のうちの１つとの間に配置するために設けられたゴム状のスペーサ手段（２５）が付属していることを特徴とする、請求項１から１０のいずれか１項に記載の取付けセット。
【請求項１２】
少なくとも１つのゴム状の前記保護下層（２３）はゴム状の前記スペーサ手段（２５）に一体成形されていることを特徴とする、請求項１０および１１に記載の取付けセット。
【請求項１３】
前記組付けアダプタ（１０）と、２つの前記保持部材（２０）と、任意選択でねじ（３０）またはリベットとで成り立っていることを特徴とする、請求項１から１２のいずれか１項に記載の取付けセット。
【請求項１４】
請求項１から３のいずれか１項に記載の取付けセットの保持部材。
【請求項１５】
角波板（２）の台形状のリブ（１）の上での請求項１から１４のいずれか１項に記載の組付けセットの構造において、台形状のリブ（１）は１つのリブ上面（３）と２つのリブ傾斜面（４）とを有しており、
前記下面（１２）はリブ上面（３）のほうを向いており、長尺状の取付通路（１４）は台形状のリブ（１）に対して長手方向に向いており、長尺状の前記取付通路（１４）はリブ上面（３）の上で中央に配置されており、前記保持縁部ペア（１６）が大部分においてリブ上面（３）を通って平行に延びる平面（５）よりも上方に延びており、前記保持縁部ペア（１６）の各々は少なくとも区域的に露出しながら２つのリブ傾斜面（４）のうちの１つの上にあり、
２つの前記保持部材（２０）は平行な係合位置（Ｂ）にあり、前記取付区域（２１）はねじ（３０）またはリベットにより２つのリブ傾斜面（４）に取り付けられており、突出する前記係合手段（２２）は、長尺状の前記保持縁部ペア（１６）に沿って複数の可能な長手方向位置のうちの１つで、かつ前記取付通路（１４）と平行に複数の可能な旋回位置のうちの１つで、長尺状の前記保持縁部ペア（１６）に背後からそれぞれ係合しており、
前記組付けアダプタは突出する前記係合手段（２２）によりリブ上面（３）に向かって抑え付けられている構造。
【請求項１６】
少なくとも１つのゴム状の保護下層（３２）がリブ上面（３）と前記下面（１３）の間に配置されていることを特徴とする、請求項１０に記載の組付けセットを含んでいる請求項１５に記載の構造。
【請求項１７】
少なくとも１つのゴム状のスペーサ手段（２５）が前記取付区域（２１）とリブ傾斜面（４）の間に配置されていることを特徴とする、請求項１１に記載の組付けセットを含んでいる請求項１５に記載の構造。
【請求項１８】
リブ上面（３）に関して突出する前記係合手段（２２）のうち少なくとも１つはこれが取り付けられている傾斜面（４）よりも急勾配に向いていることを特徴とする、請求項９に記載の組付けセットを含んでいる請求項１５に記載の構造。
【請求項１９】
請求項１７に記載の構造を得るための組付け方法において、リブ傾斜面（４）への前記取付区域（２１）の取付中にゴム状の前記スペーサ手段（２５）が圧縮され（４０）、その際に２つの前記保持部材（２０）がそれぞれ下方に向かう運動成分（４１）を受け、２つの前記保持部材（２０）が突出する前記係合手段により前記組付けアダプタ（１０）を次第に強くリブ上面（３）に対してクランプすることを特徴とする組付け方法。
【考案の詳細な説明】
【技術分野】
【０００１】
本考案は、角波板の台形状のリブのための組付けセットに関する。さらに本考案は、このような組付けセットの構造および保持部材、ならびに組付け方法に関する。この組付けセットは、フレームのある太陽電池モジュールを、市販の角波板で覆われている屋根に組み付けるのに特別に適している。
【背景技術】
【０００２】
特許文献１より、角波板の上の太陽電池モジュールの傾斜構造が知られている。この傾斜構造は、角波板のリブに中央で装着するための複数の保持部材を含んでおり、ならびに、リブに対して横向きに向く、太陽電池モジュールのための２つのレールを含んでいる。保持部材はリブを取り囲み、リブの両方の傾斜した面にそれぞれ取り付けられる。支持レールは保持部材の上に載置され、高いコストをかけて保持部材とねじ止めしなければならない。さらに保持部材は、さまざまに異なる形状のリブについて個別に製作しなければならない。特許文献２より、支持レールと互いに嵌め合うことができる類似の保持部材が知られている。
【０００３】
特許文献３より、角波板への太陽電池モジュールの取付部が知られている。この取付部はベース部材を含んでおり、ベース部材はその上面に、太陽電池モジュールの組付けのための長尺状の取付開口部を有している。長尺状の取付開口部がリブと平行に延びていることにより、ベース部材は、リブに対して横向きに延びている太陽電池モジュールのエッジの取付に適している。このベース部材も同様に、さまざまな形状のリブについて個別に製作しなければならない。特許文献４より、これに類似する装置が知られている。
【０００４】
特許文献５より、屋根の上の機能構造物のための支持装置が知られている。この支持装置は角波板のリブに組み付けられており、ヒンジ状の２つの薄板部材を含んでいる。これらの薄板部材はその側方のヒンジ翼部により、リブの傾斜面に取り付けられている。上側のヒンジ翼部はリブの上面にオーバーラップしており、リブに対して横向きに向く長孔を含んでおり、この長孔にねじ付きボルトが挿通されている。側方のヒンジ翼部の角度位置、および上側のヒンジ翼部のオーバーラップは可変であり、それにより、さまざまに異なる形状のリブに支持装置を汎用的に組み付けることができる。しかしながら、個々のコンポーネントの個数と複雑さ、ならびにその大きい公差要求事項が、欠点であるとみなされる。特許文献６および特許文献７も類似の解決法を示している。
【先行技術文献】
【特許文献】
【０００５】
【特許文献１】ドイツ実用新案出願公開第２０２００８００７８３８Ｕ１号明細書
【特許文献２】ドイツ実用新案出願公開第２０２００９００３１２４Ｕ１号明細書
【特許文献３】ドイツ実用新案出願公開第２０２０１０００７２３４Ｕ１号明細書
【特許文献４】ドイツ特許出願公開第１０２００８００９６０８Ａ１号明細書
【特許文献５】ドイツ実用新案出願公開第２０２００９００３８６２Ｕ１号明細書
【特許文献６】ドイツ実用新案出願公開第２０２０１０００１２３８Ｕ１号明細書
【特許文献７】ドイツ実用新案出願公開第２０２０１０００７０００Ｕ１号明細書
【特許文献８】ドイツ特許出願公開第１０２００７０１８２１２Ａ１号明細書
【特許文献９】国際公開第２０１１／１１８７５４Ａ１号
【考案の概要】
【考案が解決しようとする課題】
【０００６】
本考案の課題は、角波板の台形状のリブのための、コンポーネントが少なく組付けのしやすい組付けセットを提供することにある。この組付けセットは、リブに対して横向きに延びている太陽電池モジュールのエッジの取付のために適しているのがよく、さまざまな形状のリブについて汎用的に適用可能であるのがよいが、特別に簡素に製作できるのがよい。
【課題を解決するための手段】
【０００７】
この課題は、請求項１に記載の組付けセットによって解決される。好ましい実施形態ならびに組付け方法は、従属請求項に記載されている。
【０００８】
この組付けセットは、市販の角波板の台形状のリブに取り付けるのに適している。このような種類の台形状のリブは、通常、１つのリブ上面と２つのリブ傾斜面とを有しており、リブ傾斜面はリブ上面から下方に向かって延びており、その際に発散していくことができる。仮想的なものにすぎないリブ下面が、断面で見たときに台形を完成させることができる。
【０００９】
組付けセットは３つのコンポーネント、すなわち１つの組付けアダプタと２つの保持部材とを含んでいる。組付けアダプタは上面と、上面と反対を向く下面と、上面に向かって開いている長尺状の取付通路と、２つの取付フランジとを有している。上面と下面は互いに平行であるのが好ましい。上面と下面はいずれも１部分または多部分で構成されていてよい。この両者は平坦であるのが好ましい。しかしながら、上面と下面の段部や屈曲部も考えられる。取付フランジは下面の構成要素であるのが好ましい。長尺状の取付通路は、両側にアンダーカットのある長手方向溝として製作されていてよい。
【００１０】
上面、下面、長尺状の取付通路、および２つの取付フランジは協同して、たとえば薄板成形部品または押出成形部品として、１つの固定的なユニットになっている。２つの取付フランジの各々は、長尺状の取付通路に対して横向きに向く長尺状の保持アダプタを有している。各々の保持アダプタは、互いに平行であるのが好ましい２つの保持縁部を有している。上面を平面図で見ると、長尺状の取付通路は２つの取付フランジの間で特に中央にある。
【００１１】
２つの保持部材は、取付区域と、これから突出する係合手段とをそれぞれ有している。この突出する係合手段は複数の区域で構成されていてよい。重要なのは、２つの保持部材の各々の取付区域と突出する係合手段とが協同して、１つの一体的および／または固定的なユニットになっており、特に薄板部品になっていることである。取付区域は、ねじやリベットを挿通するために予備製作された穴を有することができる。各々の保持部材は、組付けアダプタから離れた解除位置Ａと、取付通路に関して平行な係合位置Ｂとを有することができる。
【００１２】
各々の保持部材の突出する係合手段は、第１に、組付けアダプタから離れた解除位置Ａを前提としたうえで、突出する係合手段を長尺状の保持縁部ペアのうちの一方と係合させることができるように製作されており、第２に、平行な係合位置Ｂにあるとき、突出する係合手段が、長尺状の保持縁部ペアに沿った複数の可能な長手方向位置のうちの１つで、かつ取付通路と平行な複数の可能な旋回位置のうちの１つで、長尺状の保持縁部ペアに背後から係合できるように製作されている。
【００１３】
組付けアダプタは、下面がリブ上面に向き合っており、取付通路が長手方向で台形状のリブのほうを向いており、取付通路がリブ上面の上で中央に配置されており、保持縁部ペアが大部分においてリブ上面を平行に通って延びる平面よりも上方に延びるとともに、少なくとも区域的に露出しながら２つのリブ傾斜面の上にあるように製作されていてリブ上面に配置可能である。
【００１４】
取付区域および突出する係合手段は、平行な係合位置Ｂのとき、取付区域をねじまたはリベットにより２つのリブ傾斜面に取り付けることができ、組付けアダプタを突出する係合手段によりリブ上面に向かって抑え込むことができ、好ましくはさらにクランプすることができるように製作されている。
【００１５】
本考案による組付けセットは数々の利点と結びついている。この組付けセットは３つのコンポーネントだけで構成することができ、ねじまたはリベットは、組付けセットの固定的な構成要素であってよい。この組付けセットは簡単な仕方で使用場所で組み合わせて、組付けしやすい仕方で台形状のリブに取り付けることができる。この組付けセットは、特許文献３に詳細に開示されているように、リブに対して横向きに延びている太陽電池モジュールのエッジの取付のために特別に適している。このような種類のエッジは、組付けアダプタの上面に直接的に載置することができ、長尺状の取付通路によって、および当業者に周知のクランプ手段によって、確実かつ簡単に取り付けることができる。さらにこの組付けセットは、さまざまに異なる形状のリブについて汎用的に適している。たとえばリブ上面はさまざまに異なる幅であってよく、リブ傾斜面はさまざまに異なる勾配を有することができる、特別に強調すべきは、組付けアダプタと保持部材を非常に簡単に、かつそれに伴って低コストに製作できることである。さらに別の利点は、組付けセットの各コンポーネントが簡単かつ省スペースに支持されるという点にある。２つの保持部材は同一の部品であってよい。これに加えて、組付けセットの構造は静的、動的な荷重に対して非常にロバスト性が高い。
【００１６】
第１の好ましい実施形態は、２つの取付フランジのうち少なくとも１つが取付通路に対して横方向を向く長手方向切欠きを含んでおり、長尺状の保持縁部ペアのうち少なくとも１つはこの長手方向切欠きの互いに向き合う縁部によって製作されていることを特徴とする。このような長手方向切欠きは、たとえば長孔として、または片側が開いたスリットとして製作されていてよい。このような長手方向切欠きの長尺状の内側縁部は互いに対向しており、ないしは、お互いのほうを向いており、保持縁部ペアの１つを形成する。そのために特別に適した保持部材は、突出する係合手段が互いに離れるように向く、すなわち両側で同様に外方を向く２つの突起を有しており、それにより、長尺状の保持縁部ペアのうちの１つに両側で背後から係合することができることを特徴としている。突起はフック状ラグのように製作されていてよい。このような保持部材は、平行な係合位置Ｂに対して回動している離れた解除位置Ａのときに、長手方向切欠きへ挿入し、引き続き回すことによって平行な係合位置Ｂにすることができる。このような組立てのための運動経過は、単純な差込結合に類似している。この回動は、実際にはおよそ６０から１１０度である。
【００１７】
第２の好ましい実施形態は、長尺状の保持縁部ペアのうちの少なくとも１つが２つの取付フランジのうちの１つの互いに反対を向く縁部によって製作されており、取付フランジは、任意選択として、保持部材のためのリミットストッパを有していることを特徴とする。互いに反対を向く縁部は、特に、取付通路に対して横向きに延びている取付フランジの外側縁部であってよい。そのために特別に適した保持部材は、突出する係合手段が両側で同様に互いに近づくように向く、すなわち両側で同様に内方を向く２つの突起を有しており、それにより、長尺状の保持縁部ペアのうちの１つに両側で背後から係合することができることを特徴としている。突起はフック状ラグのように製作されていてよい。保持部材は、取付フランジへの単純な外嵌によって、保持縁部ペアに背後から係合することができる。リミットストッパが設けられていれば、旋回運動と組み合わせて外嵌を行うことができる。
【００１８】
別の好ましい実施形態は、組付けアダプタが後加工された押出成形部品であり、複数のコーナー領域がたとえば打抜きによってこれから除去されていることを特徴とする。それにより、取付フランジの少なくとも区域的な短縮を実現することができる。このような方策により、ねじ止めやリベット止めをする前に、組付けをしやすいその操作のために操作領域を空けておくことができる。当然ながら、押出成形部品が追加的に加工されていてよく、それは、たとえば長手方向切欠きを切り欠くためである。
【００１９】
別の好ましい実施形態は、長尺状の取付通路が２つの長手方向端部を有しており、上面を平面図で見たときに取付フランジおよび／または保持縁部ペアが長手方向端部に関して中央にあることを特徴としている。このような組付けアダプタはその下面に十字形の輪郭を有することができ、上で説明したようにして製作されていてよい。
【００２０】
別の好ましい実施形態は、組付けセットが、リブ上面と下面の間に配置することが意図される少なくとも１つのゴム状の保護下層を有していることを特徴としている。このようなゴム状の保護下層により、リブ上面を損傷、たとえば摩減などから保護することができる。ゴム状の保護下層はＥＰＤＭ材料またはこれに匹敵する、好ましくは５０から８０の間のショア硬度を有するエラストマーでできていてよい。
【００２１】
上に述べたいずれかの組付けセットの好ましい保持部材は、突出する係合手段が取付区域に対して角度をなして当てつけられており、および／または突出する係合手段が取付区域に中央で配置されており、および／または突出する係合手段と取付区域が協同して一体的な薄板部品であることを特徴としている。
【００２２】
上述したいずれかの組付けセットに基づく好ましい保持部材は、保持部材にゴム状のスペーサ手段が付属しており、該スペーサ手段は取付区域に任意選択で取り付けられるとともに、取付区域と２つのリブ傾斜面のうちの１つとの間に配置すするために設けられていることを特徴とする。ゴム状のスペーサ手段は、ＥＰＤＭ材料またはこれに匹敵する好ましくはショア硬度５０から８０のエラストマーでできていてよく、たとえば接着またはスナップ結合またはクランプ結合により取付区域に取り付けられていてよい。
【００２３】
少なくとも１つのゴム状の保護下層および複数のゴム状の保護下層に関しては、ゴム状の保護下層は、ゴム状のスペーサ手段のうちの少なくとも１つに一体成形されているのが好ましい場合がある。たとえば各々のゴム状のスペーサ手段に、上側でゴム状の保護下層が一体成形されていてよい。
【００２４】
本考案は、角波板の台形状のリブの上での上述した組付けセットの構造も対象としており、台形状のリブは１つのリブ上面と２つのリブ傾斜面とを有している。
【００２５】
この構造は、下面がリブ上面のほうを向いており、長尺状の取付通路は台形状のリブに対して長手方向に向いており、長尺状の取付通路はリブ上面の上で中央に配置されており、保持縁部ペアが大部分においてリブ上面を通って平行に延びる平面よりも上方に延びており、保持縁部ペアは少なくとも区域的に露出しながら２つのリブ傾斜面のうちの１つの上にあることを特徴とする。
【００２６】
さらに、２つの保持部材は平行な係合位置Ｂにあり、取付区域はねじまたはリベットにより２つのリブ傾斜面に取り付けられており、好ましくはリブ傾斜面に対して面平行に取り付けられていることが意図される。さらに、突出する係合手段は、長尺状の保持縁部ペアに沿って複数の可能な長手方向位置のうちの１つで、かつ取付通路と平行な複数の可能な旋回位置のうちの１つで、長尺状の保持縁部ペアに背後からそれぞれ係合することが意図される。最後に組付けアダプタが、突出する係合手段によりリブ上面に向かって抑え付けられ、好ましくは追加的にクランプされる。
【００２７】
このような構造では、ゴム状のスペーサ手段が取付区域とリブ傾斜面の間に配置されており、および／または少なくとも１つのゴム状の保護下層がリブ上面と下面の間に配置されていると好ましい。
【００２８】
このような構造では、リブ上面に関して突出する係合手段は、これが取り付けられている傾斜面よりも急勾配に向いていると好ましい。このことは、突出する係合手段が取付区域に対して上に説明したように角度をなして当てつけられることによって実現することができる。
【００２９】
本考案は、ゴム状のスペーサ手段を備える組付けセットを有する構造を得るための組付け方法も対象としている。この組付け方法は、リブ傾斜面への取付区域の取付け中にゴム状のスペーサ手段が圧縮され、その際に２つの保持部材が下方に向かう運動成分を受け、２つの保持部材が突出する係合手段により組付けアダプタをリブ上面に対して次第に強くクランプすることを特徴とする。
【００３０】
次に、複数の実施例を参照しながら本考案について詳しく説明する。図面は次のものを示している：
【図面の簡単な説明】
【００３１】
【図１】複数の組付けセットが上に配置された、台形状のリブを備える角波板を示す図である。
【図２】図１の組付けセットのうちの１つと、台形状のリブのうちの１つとを示す詳細図である。
【図３】図２の組付けセットを台形状のリブなしで示す図である。
【図４】図２の組付けセットと台形状のリブとを示す前面図である。
【図５】別の台形状のリブの上に配置された、図２の組付けセットを示す前面図である。
【図６】図３に類似する組付けセットの保持部材の２つの組付け位置Ａを示す図である。
【図７】図３に類似する組付けセットの保持部材の２つの組付け位置Ｂを示す図である。
【図８】図３に類似する組付けセットを示す図である。
【図９】図３に類似する組付けセットを示す図である。
【図１０】図８および図９の組付けセットをねじとともに示す側面図である。
【図１１】図１０の組付けセットを示す前面図である。
【図１２】図１０の組付けセットを示す平面図である。
【図１３】図１０の組付けセットの組付けアダプタを示す平面図である。
【図１４】図８の組付けセットの保持部材を示す図である。
【図１５】図１０の組付けセットの台形状のリブへの組付けプロセスを示す図である。
【図１６】図１０の組付けセットの台形状のリブへの組付けプロセスを示す図である。
【図１７】別案の組付けセットを示す図である。
【図１８】図１７の組付けセットを別の配置で示す前面図である。
【図１９】図１７の組付けセットを別の配置で示す前面図である。
【図２０】図１７の組付けセットの保持部材の２つの組付けステップＡおよびＢを示す図である。
【考案を実施するための形態】
【００３２】
図２に示す組付けセットは、図８および図１７に示す組付けセットと同様に、市販の角波板２の台形状のリブ１に取り付けるのに適している。台形状のリブ１は、１つのリブ上面３と２つのリブ傾斜面４とを有しており、リブ傾斜面４はリブ上面３から下方に向かって延びるとともに、その際に発散していく。仮想的なものにすぎないリブ下面６が、断面で見て台形を完成させる。
【００３３】
組付けセットは３つのコンポーネントすなわち１つの組付けアダプタ１０と、２つの保持部材２０とを含んでいる。組付けアダプタ１０は、上面１２と、上面１２と反対を向く下面１３と、上面１２に向かって開いた長尺状の取付通路１４と、２つの取付フランジ１５とを有している。上面１２と下面１３は互いに平行である。上面１２は２部分で構成されており、それに対して下面１３は１部分である。両者は平坦である。取付フランジ１５は下面１３の構成要素である。長尺状の取付通路１４は、両側にアンダーカットのある長手方向溝として製作されている。
【００３４】
上面１２、下面１３、長尺状の取付通路１４、および２つの取付フランジ１５は協同して１つの固定的なユニットになっており、本例では押出成形部品である。２つの取付フランジ１５の各々は、長尺状の取付通路１４に対して横向きに向いた、長尺状の保持縁部ペア１６を有している。各々の保持縁部ペア１６は、互いに平行な２つの保持縁部を有している。上面１２を平面図で見ると、長尺状の取付通路１４は２つの取付フランジ１５の間で中央にある。
【００３５】
２つの保持部材２０は、それぞれ１つの取付区域２１と、これから突出する係合手段２２とを有している。この突出する係合手段２２は、図２および図８に示す実施形態のようにちょうど１つの区域で構成されており、または、図１７に示す実施形態のようにちょうど２つの区域で構成されている。重要なのは、２つの保持部材２０の各々の取付区域２１と、突出する係合手段２２とが協同して一体的および／または固定的なユニットになっており、本例では薄板部品になっていることである。取付区域２２は、ねじ３０またはリベットなどを挿通するために予備製作された穴を含んでいる。各々の保持部材２０は、図６および図７ないし図２０から明らかなとおり、組付けアダプタ１０から離れた解除位置Ａと、取付通路１４に関して平行な係合位置Ｂとを有することができる。
【００３６】
各々の保持部材２０の突出する係合手段２２は、第１に、組付けアダプタ１０から離れた解除位置Ａを前提としたうえで、突出する係合手段２２を長尺状の保持縁部ペア１６と係合させることができ、第２に、平行な係合位置Ｂにあるとき、突出する係合手段２２が、長尺状の保持縁部ペア１６に沿った複数の可能な長手方向位置のうちの１つで、かつ取付通路１４と平行な複数の可能な旋回位置のうちの１つで、長尺状の保持縁部ペア１６に背後から係合することができるように製作されている。
【００３７】
さらに組付けアダプタは、下面１３がリブ上面３のほうを向き、取付通路１４が台形状のリブ１に対して長手方向に向き、取付通路１４がリブ上面３の上で中央に配置され、保持縁部ペア１６が大部分においてリブ上面３を通って平行に延びる平面５よりも上方に延びるとともに、少なくとも区域的に露出しながら２つのリブ傾斜面４の上にあるように製作されていて、図２に示すようにリブ上面３の上に配置可能である。
【００３８】
取付区域２１と突出する係合手段２２は、平行な係合位置Ｂにあるとき、取付区域２１をねじ３０またはリベットにより２つのリブ傾斜面４に取り付けることができ、突出する係合手段２２により組付けアダプタ１０をリブ上面３に向かって抑え付けることができ、さらに好ましくはクランプすることができるように製作されている。
【００３９】
図１２から図１６に示す組付けセットは、２つの取付フランジ１５の各々が取付通路１４に対して横向きに向く長手方向切欠き１７を含んでおり、長尺状の保持縁部ペア１６は長手方向切欠き１７の互い向き合う縁部１６によって製作されることを特徴としている。両方の長手方向切欠き１７は、長孔として製作されている。片側が開いたスリットも同様に考えられる。各々の長手方向切欠き１７の長尺状の内側縁部は互いに向き合っており、ないしはお互いのほうを向いており、保持縁部ペア１６のうちの一方を形成する。これに適合する保持部材２０は、突出する係合手段２２が互いに離れるように向く、すなわち外方を向く、同様に外方を向く２つの突起を有するように製作されており（図１４参照）、それにより、長尺状の保持縁部ペア１６のうちの１つに両側で背後から係合することができる。このような保持部材２０は、平行な係合位置Ｂに対して回動している離れた解除位置Ａにあるとき、長手方向切欠き１７へ並進運動４２により挿入することができ、引き続き、回動４３させることによって平行な係合位置Ｂにすることができ、その様子は図６と図７から明らかである。このような接合のための運動経過は、単純な差込接続に類似している。回動は、実際にはおよそ６０から１１０度である。
【００４０】
図１７から図２０に示す組付けセットは、長尺状の保持縁部ペア１６が、２つの取り付けフランジ１５の互いに反対を向く縁部１６によって製作されており、取付フランジ１５は、任意選択として、保持部材２０のためのリミットストッパ２６を有していることを特徴とする。互いに反対を向く縁部１６は、取り付け通路１４に対して横向きに延びている取付フランジ１５の外側縁部である。そのために適した保持部材は、突出する係合手段２２が同様に近づくように向く、すなわち同様に内方を向く２つの突起２４を有しており、それにより、長尺状の保持縁部ペア１６のうちの一方に両側で背後から係合するように製作されている。突起はこの場合にもフック状ラグのように製作されていてよい。保持部材２０は、取付フランジ１５への単純な外嵌によって、保持縁部ペア１６に背後から係合することができる。リミットストッパ２６が設けられていれば、旋回運動４４との組み合わせで外嵌を行うことができる。
【００４１】
図２、図８、および図１７に示す実施形態の組付けアダプタ１０は、後加工された押出成形部品であり、たとえば打抜きによって、これに複数のコーナー領域１８が除去されている。それにより、取付フランジ１５の少なくとも区域的な短縮を実現することができる。この方策により、ねじ３０の手前の取付領域を、組付けやすいその操作のために空けておくことができる。当然ながら、たとえば長手方向切欠き１７を切り欠くために、押出成形部品が追加的に加工されている。
【００４２】
組付けアダプタ１０の長尺状の取付通路１４は、２つの長手方向端部１９を有している。上面１２を平面図で見たとき、取付フランジ１５および／または保持縁部ペア１６は長手方向端部１９に関して中央にある。組付けアダプタ１０はその下面１３に、十字形の輪郭を有している。
【００４３】
図２、図８、および図１７に示す実施形態の保持部材にはゴム状のスペーサ手段２５が付属しており、このスペーサ手段は取付区域２１に取り付けられており、取付区域２１と、２つのリブ傾斜面４のうちの一方との間に配置するために設けられている。
【００４４】
特に図１４から図１６を見ると明らかなとおり、図８ならびに図１７に示す組付けセットは、リブ上面３と下面１３との間に配置するために設けられた２つのゴム状の保護下層２３を有している。このようなゴム状の保護下層２３により、リブ上面３をたとえば摩減などの損傷から保護することができる。ゴム状の保護下層２３は、予定屈曲個所によってゴム状のスペーサ手段２５に上側で一体成形されている。
【００４５】
図２、図８、および図１７に示す組付けセットの保持部材は、突出する係合手段２２が取付区域２１に対して角度をなすように当てつけられており、突出する係合手段２２が取付区域２１で中央に配置されるように製作されている。さらに、突出する係合手段２２と取付区域２１はそれぞれ協同して一体的な薄板部品となっている。
【００４６】
本考案は、角波板２の台形状のリブ１の上の上述した組付けセットのうちの１つの構造も対象としており、台形状のリブ１は１つのリブ上面３と２つのリブ傾斜面４とを有している。このような構造は、図２および図４と図５から明らかであり、下面１２がリブ上面３のほうを向いており、長尺状の取付通路１４が台形状のリブ１に対して長手方向に向いており、長尺状の取付通路１４がリブ上面３の上で中央に配置されており、保持縁部ペア１６が大部分においてリブ上面３を通って平行に延びる平面よりも上方を延びており、各々の保持縁部ペアは少なくとも区域的に露出しながら２つのリブ傾斜面４のうちの一方の上にあることを特徴としている。
【００４７】
さらに、２つの保持部材２０は平行な係合位置Ｂにあり、取付区域２１はねじ３０または別案ではリベットにより２つのリブ傾斜面４に、可能な限りリブ傾斜面４と面平行に取り付けられることが意図される。さらに、突出する係合手段２２は長尺状の保持縁部ペア１６に、取付通路１４と平行な複数の可能な長手方向位置のうちの１つで、背後からそれぞれ係合することが明らかである。最後に、組付けアダプタは突出する係合手段２２によりリブ上面３に向かって抑え付けられ、理想的な場合には追加的にクランプされる。このとき、ゴム状のスペーサ手段２５が取付区域２１とリブ傾斜面４の間に配置されており、ゴム状の保護下層３２がリブ上面３と下面１３の間に配置されているとさらに好ましく、その様子は図１５および図１６を見ると明らかである。
【００４８】
さらに、リブ上面３に関して突出する係合手段２２は、これが取り付けられている傾斜面４よりも急勾配に向いていることがわかる。このことは、突出する係合手段２２が取付区域２１に対して上述したように角度をなして当てつけられることによって実現することができる。
【００４９】
本考案は、ゴム状のスペーサ手段２５を有する組付けセットを備える、上に説明した構造を得るための組付け方法も対象としている。この組付け方法は、図１５および図１６に詳細に見ることができる。この組付け方法は、リブ傾斜面４への取付区域２１の取付中にゴム状のスペーサ手段２５が運動４０によって圧縮され、その際に２つの保持部材２０がそれぞれ下方に向かう運動成分４１を受け、２つの保持部材２０が突出する係合手段により組付けアダプタ１０を次第に強くリブ上面３に対してクランプすることを特徴とする。
【符号の説明】
【００５０】
１  台形状のリブ
２  角波板
３  リブ上面
４  リブ傾斜面
１０  組付けアダプタ
１２  上面
１３  下面
１４  取付通路
１５  取付フランジ
１６  保持縁部ペア
２０  保持部材
２１  取付区域
２２  保持手段
Ａ  解除位置
Ｂ  係合位置
【図１】
0003194720.tif 000003
【図２】
0003194720.tif 000004
【図３】
0003194720.tif 000005
【図４】
0003194720.tif 000006
【図５】
0003194720.tif 000007
【図６】
0003194720.tif 000008
【図７】
0003194720.tif 000009
【図８】
0003194720.tif 000010
【図９】
0003194720.tif 000011
【図１０】
0003194720.tif 000012
【図１１】
0003194720.tif 000013
【図１２】
0003194720.tif 000014
【図１３】
0003194720.tif 000015
【図１４】
0003194720.tif 000016
【図１５】
0003194720.tif 000017
【図１６】
0003194720.tif 000018
【図１７】
0003194720.tif 000019
【図１８】
0003194720.tif 000020
【図１９】
0003194720.tif 000021
【図２０】
0003194720.tif 000022
【手続補正書】
【提出日】平成26年8月1日(2014.8.1)
【手続補正１】
【補正対象書類名】実用新案登録請求の範囲
【補正対象項目名】全文
【補正方法】変更
【補正の内容】
【実用新案登録請求の範囲】
【請求項１】
角波板（２）の台形状のリブ（１）のための組付けセットにおいて、台形状のリブ（１）は１つのリブ上面（３）と２つのリブ傾斜面（４）とを有しており、
上面（１２）と、前記上面（１２）と反対を向く下面（１３）と、前記上面（１２）に向かって開いた長尺状の取付通路（１４）と、２つの取付フランジ（１５）とを有する組付けアダプタ（１０）を有しており、前記上面（１２）、前記下面（１３）、長尺状の前記取付通路（１４）、および２つの前記取付フランジ（１５）は協同して１つの固定的なユニットになっており、２つの前記取付フランジ（１５）の各々は長尺状の前記取付通路（１４）に対して横方向を向く長尺状の保持縁部ペア（１６）を有しており、前記上面（１２）の平面図で見て長尺状の前記取付通路（１４）は２つの前記取付フランジ（１５）の間にあり、
取付区域（２１）およびこれから突出する係合手段（２２）をそれぞれ有する２つの保持部材（２０）を有しており、２つの前記保持部材（２０）の各々の前記取付区域（２１）と突出する前記係合手段（２２）とは協同して一体的および／または固定的なユニットになっており、各々の前記保持部材（２０）は、前記取付けアダプタ（１０）から離れた解除位置（Ａ）と、前記取付通路（１４）に関して平行の係合位置（Ｂ）とを有することができ、
各々の前記保持部材（２０）の突出する前記係合手段（２２）は、第１に、前記組付けアダプタ（１０）から離れた前記解除位置（Ａ）を前提としたうえで、突出する前記係合手段（２２）を長尺状の前記保持縁部ペア（１６）と係合させることができ、第２に、平行な前記係合位置（Ｂ）にあるとき、突出する前記係合手段（２２）が、長尺状の前記保持縁部ペア（１６）に沿った複数の可能な長手方向位置のうちの１つで、かつ前記取付通路（１４）と平行な複数の可能な旋回位置のうちの１つで、長尺状の前記保持縁部ペア（１６）に背後から係合することができるように製作されており、
前記組付けアダプタ（１０）は、前記下面（１３）がリブ上面（３）のほうを向き、前記取付通路（１４）が台形状のリブ（１）に対して長手方向に向き、前記取付通路（１４）がリブ上面（３）の上で中央に配置され、前記保持縁部ペア（１６）が大部分においてリブ上面（３）を通って平行に延びる平面（５）よりも上方に延びるとともに、少なくとも区域的に露出しながら２つのリブ傾斜面（４）の上にあるように製作されていてリブ上面（３）の上に配置することができ、
前記取付区域（２１）と突出する前記係合手段（２２）は、平行な前記係合位置（Ｂ）にあるとき、前記取付区域（２１）をねじ（３０）またはリベットにより２つのリブ傾斜面（４）に取り付けることができ、前記組付けアダプタ（１０）を突出する前記係合手段（２２）によりリブ上面（３）に向かって抑え付けることができるように製作されている組付けセット。
【請求項２】
２つの前記取付フランジ（１５）のうち少なくとも１つは前記取付通路（１４）に対して横向きに向く長手方向切欠き（１７）を含んでおり、長尺状の前記保持縁部ペア（１６）のうち少なくとも１つは前記長手方向切欠き（１７）の互いに向かい合う縁部によって製作されていることを特徴とする、請求項１に記載の取付けセット。
【請求項３】
前記保持部材（２０）のうち少なくとも１つから突出する前記係合手段（２２）は互いに離れるように向く２つの突起（２４）を有しており、それにより長尺状の前記保持縁部ペア（１６）のうちの１つに両側で背後から係合することを特徴とする、請求項１または２に記載の取付けセット。
【請求項４】
長尺状の保持縁部ペア（１６）のうちの少なくとも１つは２つの前記取付フランジ（１５）のうちの１つの互いに反対を向く縁部（１６）によって製作されており、少なくとも１つの前記取付フランジ（１５）は、任意選択として、前記保持部材（２０）のうちの１つのためのリミットストッパ（２６）を有していることを特徴とする、請求項１から３のいずれか１項に記載の取付けセット。
【請求項５】
前記保持部材のうち少なくとも１つから突出する前記係合手段（２２）は互いに近づくように向く２つの突起（２４）を有しており、それにより長尺状の前記保持縁部ペア（１６）のうちの１つに両側で背後から係合することを特徴とする、請求項１から４のいずれか１項に記載の取付けセット。
【請求項６】
前記組付けアダプタ（１０）は後加工された押出成形部品であり、前記取付フランジ（１５）を少なくとも区域的に短縮するために複数のコーナー領域（１８）がこれから除去されていることを特徴とする、請求項１から５のいずれか１項に記載の取付けセット。
【請求項７】
長尺状の前記取付通路（１４）は２つの長手方向端部（１９）を有しており、前記上面（１２）の平面図で見て前記取付フランジ（１５）および／または前記保持縁部ペア（１６）は前記長手方向端部（１９）に関して中央にあることを特徴とする、請求項１から６のいずれか１項に記載の取付けセット。
【請求項８】
前記上面（１２）と前記下面（１３）は互いに平行であり、および／または前記下面（１３）は平坦であり、および／または前記下面（１３）の外側輪郭は十字形であることを特徴とする、請求項１から７のいずれか１項に記載の取付けセット。
【請求項９】
前記保持部材（２０）のうち少なくとも１つから突出する前記係合手段（２２）は前記取付区域（２１）に対して角度をなして当てつけられており、および／または突出する前記係合手段（２２）は前記取付区域（２１）で中央に配置されており、および／または前記保持部材のうち少なくとも１つから突出する前記係合手段（２２）と前記取付区域（２１）とは協同して一体的な薄板部品になっていることを特徴とする、請求項１から８のいずれか１項に記載の取付けセット。
【請求項１０】
前記組付けセットはリブ上面（３）と前記下面（１３）の間に配置するために設けられた少なくとも１つのゴム状の保護下層（２３）を有していることを特徴とする、請求項１から９のいずれか１項に記載の取付けセット。
【請求項１１】
前記保持部材（２０）のうち少なくとも１つには、前記取付区域（２１）に任意選択で取り付けられ、前記取付区域（２１）と２つのリブ傾斜面（４）のうちの１つとの間に配置するために設けられたゴム状のスペーサ手段（２５）が付属していることを特徴とする、請求項１から１０のいずれか１項に記載の取付けセット。
【請求項１２】
少なくとも１つのゴム状の前記保護下層（２３）はゴム状の前記スペーサ手段（２５）に一体成形されていることを特徴とする、請求項１０および１１に記載の取付けセット。
【請求項１３】
前記組付けアダプタ（１０）と、２つの前記保持部材（２０）と、任意選択でねじ（３０）またはリベットとで成り立っていることを特徴とする、請求項１から１２のいずれか１項に記載の取付けセット。
【請求項１４】
請求項１から３のいずれか１項に記載の取付けセットの保持部材。
【請求項１５】
角波板（２）の台形状のリブ（１）の上での請求項１から１４のいずれか１項に記載の組付けセットの構造において、台形状のリブ（１）は１つのリブ上面（３）と２つのリブ傾斜面（４）とを有しており、
前記下面（１２）はリブ上面（３）のほうを向いており、長尺状の取付通路（１４）は台形状のリブ（１）に対して長手方向に向いており、長尺状の前記取付通路（１４）はリブ上面（３）の上で中央に配置されており、前記保持縁部ペア（１６）が大部分においてリブ上面（３）を通って平行に延びる平面（５）よりも上方に延びており、前記保持縁部ペア（１６）の各々は少なくとも区域的に露出しながら２つのリブ傾斜面（４）のうちの１つの上にあり、
２つの前記保持部材（２０）は平行な係合位置（Ｂ）にあり、前記取付区域（２１）はねじ（３０）またはリベットにより２つのリブ傾斜面（４）に取り付けられており、突出する前記係合手段（２２）は、長尺状の前記保持縁部ペア（１６）に沿って複数の可能な長手方向位置のうちの１つで、かつ前記取付通路（１４）と平行に複数の可能な旋回位置のうちの１つで、長尺状の前記保持縁部ペア（１６）に背後からそれぞれ係合しており、
前記組付けアダプタは突出する前記係合手段（２２）によりリブ上面（３）に向かって抑え付けられている構造。
【請求項１６】
少なくとも１つのゴム状の保護下層（３２）がリブ上面（３）と前記下面（１３）の間に配置されていることを特徴とする、請求項１０に記載の組付けセットを含んでいる請求項１５に記載の構造。
【請求項１７】
少なくとも１つのゴム状のスペーサ手段（２５）が前記取付区域（２１）とリブ傾斜面（４）の間に配置されていることを特徴とする、請求項１１に記載の組付けセットを含んでいる請求項１５に記載の構造。
【請求項１８】
リブ上面（３）に関して突出する前記係合手段（２２）のうち少なくとも１つはこれが取り付けられている傾斜面（４）よりも急勾配に向いていることを特徴とする、請求項９に記載の組付けセットを含んでいる請求項１５に記載の構造。